(57)【要約】【課題】製造歩留まりの向上を図ることができる光ファイバシートを提案する。【解決手段】光ファイバシート２０のシート本体２１には、第１及び第２光部品２３，２５と、第１光ファイバテープ心線１５と、第２光ファイバテープ心線２７−１〜２７−４とが固定されている。第１及び第２光部品２３，２５は、各々、第１及び第２光部品本体２３ａ，２５ａと、第１及び第２入力側光ファイバ２３ｂ，２５ｂと、複数本の第１及び第２出力側光ファイバ２３ｃ−１〜２３ｃ−４，２５ｃ−１〜２５ｃ−４とを備えている。そして、第１光ファイバテープ心線１５の第１及び第３光ファイバ１７，１９は、各々、第１及び第２入力側光ファイバ２３ｂ，２５ｂに接続されており、各第２光ファイバテープ心線２７の第２及び第４光ファイバ２９，３１は、各々、第１及び第２出力側光ファイバ２３ｃ，２５ｃに接続されている。【選択図】図２
2007148090.tif 000002
【特許請求の範囲】
【請求項１】
入力された光信号を複数に分岐させて出力する第１及び第２光部品と、第１光ファイバテープ心線と、複数本の第２光ファイバテープ心線とがシート本体に固定されてなる光ファイバシートであって、
前記第１光部品は、第１光部品本体と、該第１光部品本体から外へ延びた第１入力側光ファイバ及び複数本の第１出力側光ファイバとを備え、
前記第２光部品は、第２光部品本体と、該第２光部品本体から外へ延びた第２入力側光ファイバ及び複数本の第２出力側光ファイバとを備え、
前記第１光ファイバテープ心線は第１及び第３光ファイバを有しており、該第１光ファイバは前記第１入力側光ファイバに接続され、該第３光ファイバは前記第２入力側光ファイバに接続されており、
前記第２光ファイバテープ心線の各々は第２及び第４光ファイバを有しており、該第２光ファイバの各々は前記第１出力側光ファイバに接続され、該第４光ファイバの各々は前記第２光部品の前記第２出力側光ファイバに接続されていることを特徴とする光ファイバシート。
【請求項２】
請求項１に記載の光ファイバシートにおいて、
前記シート本体には、前記第１光部品の前記第１出力側光ファイバの１本と前記第２光部品の前記第２出力側光ファイバの１本とを１組みとする複数個の組みが配置されたシャッフル部が形成されており、
前記シャッフル部の前記複数個の組みの各々が前記第２光ファイバテープ心線の各々に接続されていることを特徴とする光ファイバシート。
【請求項３】
請求項１に記載の光ファイバシートにおいて、
前記シート本体には、前記複数本の第２光ファイバを１組みとし、前記複数本の第４光ファイバを１組みとするシャッフル部が形成されていることを特徴とする光ファイバシート。
【請求項４】
請求項１及び３のいずれか一つに記載の光ファイバシートにおいて、
前記第１光ファイバテープ心線及び前記複数本の第２光ファイバテープ心線の各々は、前記シート本体から外へ延びており、
前記第１光ファイバテープ心線及び前記複数本の第２光ファイバテープ心線の各々が前記シート本体から外へ延びてなる端部には、コネクタが接続されていることを特徴とする光ファイバシート。
【発明の詳細な説明】
【技術分野】
【０００１】
本発明は、光ファイバシートに関し、特に、入力された光信号を複数に分岐する光部品がシート本体に固定されてなる光ファイバシートに関する。
【背景技術】
【０００２】
近年、ブロードバンド化の急速な普及、ＦＴＴＨ（Fiber-to-the-Home）を初めとする光ネットワークの拡大、さらに、放送と通信とを融合させた新しい情報通信サービスの提供などが行われている。このような光通信サービスをユーザに提供する場合、光ファイバケーブルを用いて局とユーザとをつなぐ。
【０００３】
特許文献１には、光ファイバケーブルを用いて局とユーザとをつなぐ方法が開示されている。用いる光ファイバケーブルは２種類ある。一方の光ファイバケーブルは局からユーザ周囲まで延びて架設される架設用光ファイバケーブルであり、他方の光ファイバケーブルはユーザ周囲からユーザまで延びてそのユーザへ導入される光ドロップケーブルである。架設用光ファイバケーブル及び光ドロップケーブルは、各々、インターネット用の光ファイバと映像配信用の光ファイバとを有している。
【０００４】
特許文献１に開示されている局とユーザとをつなぐ方法は、具体的には、まず、架設用光ファイバケーブルを局からユーザ周囲にまで延長させ、次に、光分波器を用いてインターネット用光ファイバ及び映像配信用光ファイバ内を伝送する光信号をそれぞれ分岐させ、続いて、分岐させたインターネット用光ファイバを光ドロップケーブルのインターネット用光ファイバに接続し、分岐させた映像配信用光ファイバを光ドロップケーブルの映像配信用光ファイバに接続して、その光ドロップケーブルをユーザへ導入するものである。
【特許文献１】特開２００５−２０１９４６号公報
【発明の開示】
【発明が解決しようとする課題】
【０００５】
分波器を用いて光信号を分波する際、その作業中に光ファイバを折ってしまう虞がある。一般に、光ファイバを折ってしまうと、折曲箇所で大きな光伝送損失が発生してしまう。そのため、光ファイバシートの製造歩留まりの低下を招来してしまう。
【０００６】
本発明は、かかる点に鑑みてなされたものであり、その目的とするところは、製造歩留まりの向上を図ることができる光ファイバシートに関する。
【課題を解決するための手段】
【０００７】
本発明の光ファイバシートは、入力された光信号を複数に分岐させて出力する第１及び第２光部品と、第１光ファイバテープ心線と、複数本の第２光ファイバテープ心線とがシート本体に固定されてなる。具体的には、第１光部品は、第１光部品本体と、第１光部品本体から外へ延びた第１入力側光ファイバ及び複数本の第１出力側光ファイバとを備えており、第２光部品は、第２光部品本体と、第２光部品本体から外へ延びた第２入力側光ファイバ及び複数本の第２出力側光ファイバとを備えている。そして、第１光ファイバテープ心線は第１及び第３光ファイバを有しており、第１光ファイバは第１入力側光ファイバに接続され、第３光ファイバは第２入力側光ファイバに接続されている。また、第２光ファイバテープ心線の各々は第２及び第４光ファイバを有しており、第２光ファイバの各々は第１出力側光ファイバに接続され、第４光ファイバの各々は第２光部品の前記第２出力側光ファイバに接続されている。
【０００８】
このような構成では、第１光ファイバを第１入力側光ファイバに接続し、第２光ファイバを、各々、第１出力側光ファイバに接続すれば、第１光ファイバ内を伝送する光信号は第１光部品本体に入力されて複数に分岐され、分岐されて出力された光信号は各々第２光ファイバ内を伝送する。
【０００９】
同様に、第３光ファイバを第２入力側光ファイバに接続し、第４光ファイバを、各々、第２出力側光ファイバに接続すれば、第３光ファイバ内を伝送する光信号は第２光部品本体に入力されて複数に分岐され、分岐されて出力された光信号は各々第４光ファイバ内を伝送する。
【００１０】
本発明の好ましい実施形態では、シート本体には、第１出力側光ファイバの１本と第２出力側光ファイバの１本とを１組みとする複数個の組みが配置されたシャッフル部が形成されており、シャッフル部の複数個の組みの各々が第２光ファイバテープ心線の各々に接続されている。また、本発明の別の好ましい実施形態では、シート本体には、複数本の第２光ファイバを１組みとし複数本の第４光ファイバを１組みとする複数個の組みが配置されたシャッフル部が形成されている。
【００１１】
本発明の光ファイバシートでは、第１光ファイバテープ心線及び複数本の第２光ファイバテープ心線の各々は、シート本体から外へ延びており、第１光ファイバテープ心線及び複数本の第２光ファイバテープ心線の各々がシート本体から外へ延びてなる端部には、コネクタが接続されていることが好ましい。
【００１２】
このような構成では、第１光ファイバテープ心線及び複数本の第２光ファイバテープ心線は、各々、コネクタ接続を行うことができる。
【発明の効果】
【００１３】
本発明によれば、光ファイバシートの製造歩留まりの向上を図ることができる。
【発明を実施するための最良の形態】
【００１４】
以下、本発明の実施形態を図面に基づいて詳細に説明する。なお、本発明は以下の実施形態に限定されない。
【００１５】
《発明の実施形態１》
実施形態１では、図１乃至図３を用いて、通信システム１の構成、光ファイバシート２０の構成及び光ファイバシート２０の製造方法を示す。なお、図１は、本実施形態の通信システム１の構成を模式的に示す図である。図２は、光ファイバシート２０の構成を模式的に示す図である。図３は、第１及び第２光ファイバテープ心線１５，２７の模式的横断面図であり、図３（ａ）が図２に示すIIIＡ−IIIＡ線における断面図であり、図３（ｂ）が図２に示すIIIＢ−IIIＢ線における断面図である。なお、図２に示す「×」は、光ファイバ同士の接続箇所を示す。
【００１６】
まず、図１乃至図３を用いて、通信システム１を示す。
【００１７】
通信システム１は、図１に示すように、局側光ファイバテープ心線１１、第１光ファイバテープ心線１５、第２光ファイバテープ心線２７及びユーザ側光ファイバテープ心線１３を用いて、局３とユーザ５とをつないでなる。
【００１８】
局３は、サーバ等であり、光信号をユーザ５へ配信して種々の通信サービスをユーザ５に提供する。
【００１９】
ユーザ５は、学校・病院等の公共施設、オフィス、工場及びユーザ宅等に設置されたシステムやコンピュータ等であり、局３から配信された信号を受信して種々の通信サービスを利用する。
【００２０】
局側光ファイバテープ心線１１は、２心の光ファイバテープ心線であり、複数回に亘ってファイバ接続されて、局３からユーザ周囲まで延ばされて架設されている。なお、ユーザ周囲は、平面において、ユーザ５から半径１００ｍ程度の円の内部であることが好ましい。
【００２１】
ユーザ側光ファイバテープ心線１３は、ユーザ５に導入される２心の光ファイバテープ心線である。
【００２２】
第１光ファイバテープ心線１５は、２心テープ心線であり、具体的には、図３（ａ）に示すように、テープ心線の横断面において、第１光ファイバ１７と第３光ファイバ１９とが互いに接して並設されてなる。第１光ファイバテープ心線１５の局側の端部には、局側光ファイバテープ心線１１がコネクタ接続されている。具体的には、図１に示すように、局側光ファイバテープ心線１１のユーザ側の端部にはコネクタ６が接続されており、第１光ファイバテープ心線１５の局側の端部（第１光ファイバテープ心線１５のシート本体２１から外へ延びてなる端部）にはコネクタ８が接続されており、コネクタ６とコネクタ８とが接続されることにより、局側光ファイバテープ心線１１と第１光ファイバテープ心線１５とが接続されている。その接続箇所は、光クロージャ７に収容されて保護されている。一方、第１光ファイバテープ心線１５のユーザ側の端部は、図２に示すように、後述の光ファイバシート２０に固定されている。
【００２３】
第２光ファイバテープ心線２７は、２心テープ心線であり、具体的には、図３（ｂ）に示すように、テープ心線の横断面において、第２光ファイバ２９と第４光ファイバ３１とが互いに接して並設されてなる。第２光ファイバテープ心線２７の局側の端部は、図２に示すように、後述の光ファイバシート２０に固定されている。一方、第２光ファイバテープ心線２７のユーザ側の端部（第２光ファイバテープ心線２７のシート本体２１から外へ延びてなる端部）には、ユーザ側光ファイバテープ心線１３がコネクタ接続されている。具体的には、第２光ファイバテープ心線２７のユーザ側の端部にはコネクタ１２が接続されており、ユーザ側光ファイバテープ心線１３の局側の端部にはコネクタ１４が接続されており、コネクタ１２とコネクタ１４とが接続されることにより、第２光ファイバテープ心線２７とユーザ側光ファイバテープ心線１３とが接続されている。その接続箇所は、光クロージャ９に収容されて保護されている。
【００２４】
次に、図１及び図２を用いて、光ファイバシートの構成を示す。
【００２５】
光ファイバシート２０は、図１に示すように、光クロージャ９に収容されているものであり、図２に示すように、プラスチック（ＰＥＴ）製のシート本体２１に、第１光ファイバテープ心線１５と、第１光ファイバ１７及び第３光ファイバ１９と、第１光部品２３及び第２光部品２５と、４本の第２光ファイバ２９−１〜２９−４及び４本の第４光ファイバ３１−１〜３１−４と、４本の第２光ファイバテープ心線２７−１〜２７−４とが固定されてなる。また、シート本体２１には、第１及び第２光部品２３，２５よりもユーザ側には、シャッフル部３３が形成されている。
【００２６】
第１光ファイバテープ心線１５、第１光ファイバ１７及び第３光ファイバ１９は、いずれも上述の通りである。
【００２７】
第２光ファイバテープ心線２７−１〜２７−４、第２光ファイバ２９−１〜２９−４及び第４光ファイバ３１−１〜３１−４は、いずれも、第２光ファイバテープ心線２７、第２光ファイバ２９及び第４光ファイバ３１である。なお、シャッフル部の説明（後述）の都合上、図２には、各第２光ファイバテープ心線を区別する符号、各第２光ファイバを区別する符号及び各第４光ファイバを区別する符号を付している。
【００２８】
第１光部品２３は、光分波器であり、第１光部品本体２３ａと、１本の第１入力側光ファイバ２３ｂと、４本の第１出力側光ファイバ２３ｃ−１〜２３ｃ−４とを有している。第１光部品本体２３ａは、入力された光信号を４つの光信号に分岐するように構成されている。第１入力側光ファイバ２３ｂは、第１光部品本体２３ａから外へ延びた光ファイバであり、第１光ファイバテープ心線１５の第１光ファイバ１７に接続されている。これにより、第１光ファイバ１７内を伝送した光信号は、第１光部品本体２３ａに入力されて４つの光信号に分岐される。第１出力側光ファイバ２３ｃ−１〜２３ｃ−４は、各々、第１光部品本体２３ａから外へ延びて後述のシャッフル部３３で所望の配置に組み替えられている。
【００２９】
第２光部品２５は、光分波器であり、第２光部品本体２５ａと、１本の第２入力側光ファイバ２５ｂと、４本の第２出力側光ファイバ２５ｃ−１〜２５ｃ−４とを有している。第２光部品本体２５ａは、入力された光信号を４つの光信号に分岐するように構成されている。第２入力側光ファイバ２５ｂは、第２光部品２５ａから外へ延びた光ファイバであり、第１光ファイバテープ心線１５の第３光ファイバ１９に接続されている。これにより、第３光ファイバ１９内を伝送した光信号は、第２光部品本体２５ａに入力されて４つの光信号に分岐される。第２出力側光ファイバ２５ｃ−１〜２５ｃ−４は、各々、第２光部品２５ａから外へ延びて後述のシャッフル部３３で所望の配置に組み替えられている。
【００３０】
シャッフル部３３では、図２に示すように、例えば、第１出力側光ファイバ２３ｃ−１と第２出力側光ファイバ２５ｃ−１とが互いに近接して配置されて第１組となり、第１出力側光ファイバ２３ｃ−１が第２光ファイバテープ心線２７−１の第２光ファイバ２９−１に接続され、第２出力側光ファイバ２５ｃ−１が第２光ファイバテープ心線２７−２の第４光ファイバ３１−１に接続されている。また、第１出力光ファイバ２３ｃ−２と第２出力側光ファイバ２５ｃ−１とが互いに近接して配置されて第２組となり、第１出力側光ファイバ２３ｃ−２が第２光ファイバテープ心線２７−２の第２光ファイバ２９−２に接続され、第２出力側光ファイバ２５ｃ−２が第２光ファイバテープ心線２７−２の第４光ファイバ３１−２に接続されている。このように、シャッフル部３３には、上記の組みが４つ形成されて、各々、４本の第２光ファイバテープ心線２７−１〜２７−４が接続されている。
【００３１】
続いて、光ファイバシート２０を製造する方法を示す。
【００３２】
まず、一方の端部にコネクタ８が接続され、他方の端部から第１光ファイバ１７及び第３光ファイバ１９が取り出された２心の第１光ファイバテープ心線１５を用意する。また、一方の端部にコネクタ１２が接続され、他方の端部から第２光ファイバ２９及び第４光ファイバ３１が取り出された２心の第２光ファイバテープ心線２７を４本用意する。
【００３３】
次に、第１及び第２光部品２３，２５をプラスチック（ＰＥＴ）製のシート本体２１の表面に固定し、第１出力側光ファイバ２３ｃ−１〜２３ｃ−４及び第２出力側光ファイバ２５ｃ−１〜２５ｃ−４を並び替えてシャッフル部３３を形成する。
【００３４】
続いて、第１入力側光ファイバ２３ｂと第１光ファイバ１７とを接続し、第２入力側光ファイバ２５ｂと第２光ファイバ１９とを接続する。また、シャフル部３３の組みと第２光ファイバテープ心線２７−１〜２７−４とを各々接続する。これにより、光ファイバシート２０を製造することができる。
【００３５】
以下に、本実施形態における光ファイバシート２０が奏する効果を示す。
【００３６】
光ファイバシート２０では、第２光ファイバテープ心線は、予め用意された２心の光ファイバテープ心線である。また、シャッフル部３３では、第１出力側光ファイバ２３ｃ−１〜２３ｃ−４及び第２出力側光ファイバ２５ｃ−１〜２５ｃ−４が組み替えられている。以上より、光ファイバシート２０を製造する際に、第２光ファイバ２９−１〜２９−４や第４光ファイバ３１−１〜３１−４を折ってしまう虞は極めて低く、光ファイバシート２０の製造歩留まりの向上を図ることができる。
【００３７】
また、第１光ファイバテープ心線１５及び第２光ファイバテープ心線２７−１〜２７−４がシート本体２１から外へ延びているため、例えば、第１光ファイバテープ心線１５を局側光ファイバテープ心線１１に接続する際に、光ファイバを１本ずつ取り出さなくても接続することができる。
【００３８】
また、光ファイバシート２０の第１光ファイバテープ心線１５の局側端部にはコネクタ８が接続されており、各第２光ファイバテープ心線２７のユーザ側端部にはコネクタ１２が接続されている。そのため、第１光ファイバテープ心線１５や各第２光ファイバテープ心線２７と他の光ファイバテープ心線との接続が容易であるとともに、その接続を解除して別の光ファイバテープ心線と接続することができるため、汎用性に優れた光ファイバシート２０を提供することができる。
【００３９】
《発明の実施形態２》
実施形態２の通信システムでは、図４に示すように、上記実施形態１に記載の光ファイバシート２０は光クロージャ５９ではなく局５３に収容されている。このように、光ファイバシート２０を局５３に収容すれば、第１及び第２光部品を局５３に収容することができるため、第１及び第２光部品における光伝送障害の発生の確率を低減できる。その結果、通信システム５１における通信の信頼性の向上を図ることができる。
【００４０】
《発明の実施形態３》
実施形態３の光ファイバシート６０は、図５に示すように、シャッフル部６３の構成を上記実施形態１に記載の光ファイバシート２０と異にする。
【００４１】
シャッフル部６３では、第２光ファイバ２９−１〜２９−４及び第４光ファイバ３１−１〜３１−４が所望の配置に組み替えられている。具体的には、シャッフル部６３では、図５に示すように、第２光ファイバ２９−１と第４光ファイバ３１−１とが互いに近接して配置されて第１組となり、第２光ファイバ２９−２と第４光ファイバ３１−２とが互いに近接して配置されて第２組となる。このように、シャッフル部３３には、上記の組みが４つ形成されている。
【００４２】
シャッフル部６３の局側では、４本の第２光ファイバ２９−１〜２９−４が１本の光ファイバテープ心線１２９となっており、この光ファイバテープ心線１２９は、第１光部品２３の第１出力側光ファイバテープ心線１２３に接続されている。第１出力側光ファイバテープ心線１２３は、第１光部品２３の第１出力側光ファイバ２３ｃ−１〜２３ｃ−４がテープ心線化されたものである。そのため、上記接続により、第２光ファイバ２９−１〜２９−４が各々第１出力側光ファイバ２３ｃ−１〜２３ｃ−４に接続される。
【００４３】
同様に、４本の第４光ファイバ３１−１〜３１−４が１本の光ファイバテープ心線１３１となっており、この光ファイバテープ心線１３１は、第２光部品２５の第２出力側光ファイバテープ心線１２５に接続されている。第２出力側光ファイバテープ心線１２５は、第２光部品２５の第２出力側光ファイバ２５ｃ−１〜２５ｃ−４がテープ心線化されたものである。そのため、上記接続により、第４光ファイバ３１−１〜３１−４が各々第２出力側光ファイバ２５ｃ−１〜２５ｃ−４に接続される。
【００４４】
これにより、光ファイバシート６０は、上記実施形態１に記載の光ファイバシート２０と同様、製造時における第２及び第４光ファイバ２９−１〜２９−４，３１−１〜３１−４の曲げを防止できる。
【００４５】
さらに、第１出力側光ファイバテープ心線１２３と光ファイバテープ心線１２９とを接続し、第２出力側光ファイバテープ心線１２５と光ファイバテープ心線１３１とを接続する。そのため、第１出力側光ファイバテープ心線２３ｃ−１〜２３ｃ−４と第２光ファイバ２９−１〜２９−４とを各々接続したり、第２出力側光ファイバテープ心線２５ｃ−１〜２５ｃ−４と第４光ファイバ３１−１〜３１−４とを各々接続する場合に比べて、光ファイバシート６０の製造時間の短縮を図ることができる。
【００４６】
なお、本実施形態では、第１出力側光ファイバ２３ｃ−１〜２３ｃ−４、第２出力側光ファイバ２５ｃ−１〜２５ｃ−４、第２光ファイバ２９−１〜２９−４及び第４光ファイバ３１−１〜３１−４は、テープ心線化されている方が好ましいが、テープ心線化されていなくてもよい。
【００４７】
《その他の実施形態》
本実施形態は、以下のような構成としてもよい。
【００４８】
シャッフル部では、第１光部品第１出力側光ファイバと第２光部品の第２出力側光ファイバとが所望の配置に組み替えられていてもよい。
【００４９】
第１及び第２光部品は、各々、１つの光信号を４本の光信号に分岐する分波器であるとしたが、分岐数は４に限定されない。また、第１及び第２光部品は、各々、複数の光信号を１本の光信号に結合する合波器であってもよい。すなわち、光信号は、局からユーザへ配信されるとともに、ユーザから局へ配信されてもよい。
【００５０】
局側光ファイバテープ心線と第１光ファイバテープ心線との接続、第２光ファイバテープ心線の各々とユーザ側光ファイバテープ心線の各々との接続は、いずれも、コネクタ接続であるとしたが、融着接続やメカニカルスプライス接続であっても構わない。なお、光ファイバシートの汎用性を高めるためには、これらの接続はコネクタ接続であることが好ましい。
【００５１】
局側光ファイバテープ心線、ユーザ側光ファイバテープ心線、第１光ファイバテープ心線及び第２光ファイバテープ心線は、いずれも、光ファイバケーブルに設けられていてもよい。
【００５２】
光クロージャ７と光クロージャ９とは、１つの光クロージャであることが好ましい。すなわち、光クロージャ９に、コネクタ６，８及び第１光ファイバテープ心線１５も収容されていることが好ましい。
【００５３】
また、光部品の個数は、２個に限定されない。３個以上の光部品がシート本体に固定されていてもよい。
【産業上の利用可能性】
【００５４】
以上説明したように、本発明は、光ファイバシートについて有用であり、特に、シート本体に分波器が固定された光ファイバシートについて有用である。
【図面の簡単な説明】
【００５５】
【図１】実施形態１における通信システムの構成を示す図である。
【図２】実施形態１における光ファイバシート２０の構成を示す図である。
【図３】入力光ファイバテープ心線の横断面図である。
【図４】実施形態２における通信システムの構成を示す図である。
【図５】実施形態３における光ファイバシート６０の構成を示す図である。
【符号の説明】
【００５６】
１５    第１光ファイバテープ心線
１７    第１光ファイバ
１９    第３光ファイバ
２０，６０    光ファイバシート
２１    シート本体
２３    第１光部品
２３ａ    第１光部品本体
２３ｂ    第１入力側光ファイバ
２３ｃ    第１出力側光ファイバ
２５    第２光部品
２５ａ    第２光部品本体
２５ｂ    第２入力側光ファイバ
２５ｃ    第２出力側光ファイバ
２７    第２光ファイバテープ心線
２９    第２光ファイバ
３１    第４光ファイバ
３３，６３    シャッフル部
【図１】
2007148090.tif 000003
【図２】
2007148090.tif 000004
【図３】
2007148090.tif 000005
【図４】
2007148090.tif 000006
【図５】
2007148090.tif 000007